(57)【要約】【課題】ハードディスクレコーダにおいて、ＴＶ番組の本編の音声出力方式がステレオ方式であるＴＶ番組を再生した場合でも、ＴＶ番組の本編がＣＭスキップ機能により早送りされることを容易、かつ確実に防ぐ。【解決手段】ユーザがＴＶ番組を選択し、再生の指示入力を行うと（Ｓ２）、制御用マイコンは、読み取り部を用いてＨＤＤからＴＶ番組を読み取り、読み取ったＴＶ番組を再生し（Ｓ３）、再生したＴＶ番組の本編の音声出力方式がステレオ方式かモノラル方式かを判別する（Ｓ４）。判別の結果、ＴＶ番組の本編の音声出力方式がステレオ方式の場合（Ｓ５でＹＥＳ）、制御用マイコンは、ＣＭスキップ機能をオフにするか否かの判断をユーザに促すメッセージをテレビに表示し（Ｓ６）、ユーザがＣＭスキップ機能をオフにすることを選択した場合（Ｓ８でＹＥＳ）、制御用マイコンは、ＣＭスキップ機能をオフに設定して（Ｓ９）、ＴＶ番組を再生する（Ｓ１０）。【選択図】図３
2007235641.tif 000002
【特許請求の範囲】
【請求項１】
本編とＣＭ（コマーシャルメッセージ）とを含むＴＶ番組を表示可能であるモニタ装置にケーブルを介して接続され、
前記ＴＶ番組を記録するためのハードディスクと、
前記ハードディスクに記録されたＴＶ番組を読み取る読み取り手段と、
前記読み取り手段が読み取ったＴＶ番組の再生を行うＴＶ番組再生手段と、
前記ＣＭの早送りを行うＣＭスキップ機能を実行するＣＭスキップ手段と、
前記ＴＶ番組の再生、又は早送り等の操作をするためにユーザにより操作される操作手段と、
装置各部を制御する制御手段とを備えたハードディスクレコーダにおいて、
前記ＴＶ番組の音声出力方式がステレオ方式かモノラル方式かを判別する音声判別手段をさらに備え、
ユーザが、前記操作手段を操作することにより、前記ハードディスクに記録されたＴＶ番組の選択と再生の指示入力を行ったとき、
前記制御手段は、前記読み取り手段を用いて前記ハードディスクからユーザが選択したＴＶ番組を読み取り、読み取ったＴＶ番組を、前記ＴＶ番組再生手段を用いて再生すると共に、前記音声判別手段を用いて該ＴＶ番組の本編の音声出力方式がステレオ方式かモノラル方式かを判別し、
前記判別の結果、前記ＴＶ番組の本編の音声出力方式がステレオ方式の場合、前記制御手段は、前記ＣＭスキップ手段によるＣＭスキップ機能をオフにするか否かの判断をユーザに促すメッセージを前記モニタ装置に表示し、
ユーザが前記操作手段を操作することにより、前記ＣＭスキップ機能をオフにすることを選択したとき、前記制御手段が、該ＣＭスキップ機能をオフにすることを特徴とするハードディスクレコーダ。
【請求項２】
本編とＣＭ（コマーシャルメッセージ）とを含むＴＶ番組を表示可能であるモニタ装置に接続され、
前記ＴＶ番組を記録するためのハードディスクと、
前記ＴＶ番組の再生を行うＴＶ番組再生手段と、
前記ＣＭの早送りを行うＣＭスキップ機能を実行するＣＭスキップ手段と、
前記ＴＶ番組の再生、又は早送り等の操作をするためにユーザにより操作される操作手段と、
装置各部を制御する制御手段とを備えたハードディスクレコーダにおいて、
前記ＴＶ番組の音声出力方式がステレオ方式かモノラル方式かを判別する音声判別手段をさらに備え、
ユーザが、前記操作手段を操作することにより、前記ハードディスクに記録されたＴＶ番組の選択と再生の指示入力を行ったとき、
前記制御手段は、
前記選択されたＴＶ番組を、前記ＴＶ番組再生手段を用いて再生すると共に、前記音声判別手段を用いて該ＴＶ番組の本編の音声出力方式がステレオ方式かモノラル方式かを判別し、
前記判別の結果、前記ＴＶ番組の本編の音声出力方式がステレオ方式の場合、前記ＣＭスキップ手段によるＣＭスキップ機能をオフにすることを特徴とするハードディスクレコーダ。
【請求項３】
前記ＴＶ番組の本編の音声出力方式がステレオ方式かモノラル方式かの判別の結果、該ＴＶ番組の本編の音声出力方式がステレオ方式の場合、前記制御手段は、前記ＣＭスキップ機能をオフにするか否かの判断をユーザに促すメッセージを前記モニタ装置に表示し、
ユーザが前記操作手段を操作することにより、前記ＣＭスキップ機能をオフにすることを選択したとき、前記制御手段が、該ＣＭスキップ機能をオフにすることを特徴とする請求項２に記載のハードディスクレコーダ。
【発明の詳細な説明】
【技術分野】
【０００１】
本発明は、ハードディスクレコーダに関し、特にＣＭスキップ機能に関する。
【背景技術】
【０００２】
従来から、本編とＣＭ（コマーシャルメッセージ）とを含むＴＶ番組の記録、及び記録したＴＶ番組の再生が可能であり、記録したＴＶ番組を再生するときにＣＭの早送りを行うＣＭスキップ機能を有するハードディスクレコーダが知られている。ＴＶ番組の音声出力方式は、一般的に、ＣＭがステレオ方式であり、本編がモノラル方式である。そのため、ＣＭスキップ機能は、ＴＶ番組の内の音声出力方式がステレオ方式である箇所をＣＭと判別してＣＭの早送りを行う。
【０００３】
しかし、近年、ＴＶ番組の本編の音声出力方式がステレオ方式である場合がある。このため、従来のハードディスクレコーダが上記ＴＶ番組の本編を再生した場合、ＴＶ番組の本編がＣＭと判断されて、ＴＶ番組の本編がＣＭスキップ機能により早送りされるという問題がある。
【０００４】
これに対して、特許文献１の発明は、ＴＶ番組の音声出力方式がステレオ方式であるか否かを判別することが可能な音声方式判別手段と、音声方式判別手段が判別した結果を基に、さらに個別の要素等による重み付けをしてＣＭを判別するＣＭ判別手段とを備え、複数のＣＭ判別要素を組み合わせて、ＣＭ判別の確実性を増したハードディスクレコーダである。しかし、この発明によっても、ＴＶ番組の本編がＣＭと判断される場合はあるので、上記問題を完全には解決できない。
【０００５】
また、特許文献２の発明は、ＴＶ番組と、ＴＶ番組の録画条件と、ダビング条件とを記録可能な記録部を備え、記録したＴＶ番組をＤＶＤにダビングする際に、ダビング条件としてＣＭスキップ条件が含まれていた場合、ＣＭをスキップしてＴＶ番組をＤＶＤにダビングするハードディスクである。しかし、上記の特許文献２には、ＴＶ番組の本編の音声出力方式がステレオ方式であった場合、ＴＶ番組の本編がＣＭスキップ機能により早送りされてしまうことを防ぐ具体的な方法が示されていない。
【０００６】
また、特許文献３の発明は、ＣＭの冒頭部の画像データと、末尾部の画像データとが記録されたＣＭ記録部と、ＴＶ番組を記録する番組記録部とを備え、番組記録部に記録されたＴＶ番組の画像データの中に、ＣＭ記録部に記録されている画像データが含まれているかどうかを検索し、この検索の結果、含まれている場合、ＣＭ記録部に記録されている画像データを除いたＴＶ番組を本編として記録するようにしたハードディスクレコーダが知られている。しかし、この発明では、ＣＭ判定用のデータの入力が不便である。
【特許文献１】特開２００２−７７７７０号公報
【特許文献２】特開２００５−３４７８２２号公報
【特許文献３】特開２００４−２３５８９号公報
【発明の開示】
【発明が解決しようとする課題】
【０００７】
本発明は、上述した問題点を解決するためになされたものであり、ＴＶ番組の本編の音声出力方式がステレオ方式であるＴＶ番組を再生した場合でも、ＴＶ番組の本編がＣＭスキップ機能により早送りされることを容易、かつ確実に防ぐことができるハードディスクレコーダを提供することを目的とする。
【課題を解決するための手段】
【０００８】
上記目的を達成するために請求項１の発明は、本編とＣＭ（コマーシャルメッセージ）とを含むＴＶ番組を表示可能であるモニタ装置にケーブルを介して接続され、前記ＴＶ番組を記録するためのハードディスクと、前記ハードディスクに記録されたＴＶ番組を読み取る読み取り手段と、前記読み取り手段が読み取ったＴＶ番組の再生を行うＴＶ番組再生手段と、前記ＣＭの早送りを行うＣＭスキップ機能を実行するＣＭスキップ手段と、前記ＴＶ番組の再生、又は早送り等の操作をするためにユーザにより操作される操作手段と、装置各部を制御する制御手段とを備えたハードディスクレコーダにおいて、前記ＴＶ番組の音声出力方式がステレオ方式かモノラル方式かを判別する音声判別手段をさらに備え、ユーザが、前記操作手段を操作することにより、前記ハードディスクに記録されたＴＶ番組の選択と再生の指示入力を行ったとき、前記制御手段は、前記読み取り手段を用いて前記ハードディスクからユーザが選択したＴＶ番組を読み取り、読み取ったＴＶ番組を、前記ＴＶ番組再生手段を用いて再生すると共に、前記音声判別手段を用いて該ＴＶ番組の本編の音声出力方式がステレオ方式かモノラル方式かを判別し、前記判別の結果、前記ＴＶ番組の本編の音声出力方式がステレオ方式の場合、前記制御手段は、前記ＣＭスキップ手段によるＣＭスキップ機能をオフにするか否かの判断をユーザに促すメッセージを前記モニタ装置に表示し、ユーザが前記操作手段を操作することにより、前記ＣＭスキップ機能をオフにすることを選択したとき、前記制御手段が、該ＣＭスキップ機能をオフにするものである。
【０００９】
請求項２に記載の発明は、本編とＣＭ（コマーシャルメッセージ）とを含むＴＶ番組を表示可能であるモニタ装置に接続され、前記ＴＶ番組を記録するためのハードディスクと、前記ＴＶ番組の再生を行うＴＶ番組再生手段と、前記ＣＭの早送りを行うＣＭスキップ機能を実行するＣＭスキップ手段と、前記ＴＶ番組の再生、又は早送り等の操作をするためにユーザにより操作される操作手段と、装置各部を制御する制御手段とを備えたハードディスクレコーダにおいて、前記ＴＶ番組の音声出力方式がステレオ方式かモノラル方式かを判別する音声判別手段をさらに備え、ユーザが、前記操作手段を操作することにより、前記ハードディスクに記録されたＴＶ番組の選択と再生の指示入力を行ったとき、前記制御手段は、前記選択されたＴＶ番組を、前記ＴＶ番組再生手段を用いて再生すると共に、前記音声判別手段を用いて該ＴＶ番組の本編の音声出力方式がステレオ方式かモノラル方式かを判別し、前記判別の結果、前記ＴＶ番組の本編の音声出力方式がステレオ方式の場合、前記ＣＭスキップ手段によるＣＭスキップ機能をオフにするものである。
【００１０】
請求項３に記載の発明は、請求項２に記載のハードディスクレコーダにおいて、前記ＴＶ番組の本編の音声出力方式がステレオ方式かモノラル方式かの判別の結果、該ＴＶ番組の本編の音声出力方式がステレオ方式の場合、前記制御手段は、前記ＣＭスキップ機能をオフにするか否かの判断をユーザに促すメッセージを前記モニタ装置に表示し、ユーザが前記操作手段を操作することにより、前記ＣＭスキップ機能をオフにすることを選択したとき、前記制御手段が、該ＣＭスキップ機能をオフにするものである。
【発明の効果】
【００１１】
請求項１に記載の発明によれば、ＴＶ番組の本編の音声出力方式がステレオ方式の場合、制御手段が、ＣＭスキップ機能をオフにするか否かの判断をユーザに促すメッセージをモニタ装置に表示し、ユーザが操作手段を操作することにより、ＣＭスキップ機能をオフにすることを選択したとき、制御手段がＣＭスキップ機能をオフにする。そのため、ユーザが、ＣＭスキップ機能のオン／オフを切替えることができるので、音声出力方式がステレオ方式であるＴＶ番組の本編を再生する場合、従来のように、ＣＭスキップ機能によりＴＶ番組の本編が早送りされることを容易、かつ確実に防ぐことができる。
【００１２】
請求項２に記載の発明によれば、ＴＶ番組の本編の音声出力方式がステレオ方式の場合、制御手段が、ＣＭスキップ機能をオフにするので、音声出力方式がステレオ方式であるＴＶ番組の本編を再生する場合、従来のように、ＣＭスキップ機能によりＴＶ番組の本編が早送りされることを容易、かつ確実に防ぐことができる。
【００１３】
請求項３に記載の発明によれば、請求項１に記載の発明と同様の効果が得られる。
【発明を実施するための最良の形態】
【００１４】
以下、本発明の第１の実施形態に係るハードディスクレコーダについて、図１及び図２を参照して説明する。図１は、本編とＣＭ（コマーシャルメッセージ）とを含むＴＶ番組の記録、及び記録したＴＶ番組の再生を行うことができるハードディスクレコーダ１と、伝送ケーブル３（ケーブル）を介してハードディスクレコーダ１と接続されるテレビ２（モニタ装置）とから構成されるＴＶ番組記録再生システムの外観を示す。図２は、ハードディスクレコーダ１の内部構成を示す。テレビ２は、ディスプレイ２１及びスピーカ２２を有しており、ハードディスクレコーダ１からのＴＶ番組等の映像はディスプレイ２１に、音声はスピーカ２２に出力される。
【００１５】
ハードディスクレコーダ１は、ＴＶ番組を記録するためのハードディスク１４（以下、ＨＤＤという）と、ＨＤＤ１４に記録されたＴＶ番組を読み取る読み取り部１５（読み取り手段）と、ＴＶ番組の再生、又は早送り等の操作をするためにユーザにより操作される操作部１３（操作手段）と、装置各部を制御する制御用マイコン１１（制御手段）と、制御用マイコン１１の動作プログラムを格納するメモリ部１２と、伝送ケーブル３に映像信号、及び音声信号を出力する出力部１６とを備える。
【００１６】
制御用マイコン１１は、読み取り部１５が読み取ったＴＶ番組の再生を行うＴＶ番組再生手段と、ＣＭの早送りを行うＣＭスキップ機能を実行するＣＭスキップ手段と、ＴＶ番組の音声出力方式がステレオ方式かモノラル方式かを判別する音声判別手段として機能する。
【００１７】
次に、ＨＤＤ１４に記録されたＴＶ番組を再生するときの制御用マイコン１１の処理について、図１乃至図３を参照して説明する。図３は、ＨＤＤ１４に記録されたＴＶ番組を再生するときの制御用マイコン１１の処理の手順を示す。なお、ここでは予めＣＭスキップ機能がオンであるものとする。
【００１８】
まず、制御用マイコン１１は、ＴＶ番組の再生等のメニューが記載されたメニュー画面をテレビ２に表示する（Ｓ１）。そして、ユーザが操作部１３を操作することにより、ＨＤＤ１４に記録されたＴＶ番組の選択をした後、選択したＴＶ番組の再生の指示入力を行うと（Ｓ２）、制御用マイコン１１は、読み取り部１５を用いてＨＤＤ１４からユーザが選択したＴＶ番組を読み取り、読み取ったＴＶ番組を再生し（Ｓ３）、再生したＴＶ番組の本編の音声出力方式がステレオ方式かモノラル方式かを判別する（Ｓ４）。
【００１９】
上記判別の結果、ＴＶ番組の本編の音声出力方式がステレオ方式の場合（Ｓ５でＹＥＳ）、制御用マイコン１１は、例えば「本ＴＶ番組はステレオ放送であり、ＣＭスキップ機能がオンのままですとＴＶ番組全てがスキップします。ＣＭスキップ機能をオフにしますか？」等のＣＭスキップ機能をオフにするか否かの判断をユーザに促すメッセージをテレビ２に表示する（Ｓ６）。そして、ユーザが操作部１３を操作することにより、ＣＭスキップ機能をオン、又はオフするかどうかの選択を行う（Ｓ７）。
【００２０】
上記Ｓ７において、ユーザがＣＭスキップ機能をオフにすることを選択した場合（Ｓ８でＹＥＳ）、制御用マイコン１１は、ＣＭスキップ機能をオフに設定した後（Ｓ９）、ＴＶ番組を再生し（Ｓ１０）、処理を終了する。一方、ユーザがＣＭスキップ機能をオフにすることを選択しない場合（Ｓ８でＮＯ）、制御用マイコン１１は、ＴＶ番組の最後まで早送りを行い（Ｓ１２）、処理を終了する。
【００２１】
一方、上記Ｓ４の判別の結果、ＴＶ番組の本編の音声出力方式がステレオ方式でない場合（Ｓ５でＮＯ）、制御用マイコン１１は、上記Ｓ６以降の処理を行わず、ＴＶ番組を再生し（Ｓ１１）、処理を終了する。
【００２２】
上記のように、第１の実施形態に係るハードディスクレコーダ１によれば、ＴＶ番組の本編の音声出力方式がステレオ方式の場合、制御用マイコン１１が、ＣＭスキップ機能をオフにするか否かの判断をユーザに促すメッセージをテレビ２に表示し、ユーザが操作部１３を操作することにより、ＣＭスキップ機能をオフにすることを選択したとき、制御用マイコン１１がＣＭスキップ機能をオフにする。そのため、ユーザが、ＣＭスキップ機能のオン／オフを切替えることができるため、音声出力方式がステレオ方式であるＴＶ番組の本編を再生する場合、従来のように、ＣＭスキップ機能によりＴＶ番組の本編が早送りされることを容易、かつ確実に防ぐことができる。
【００２３】
次に、本発明の第２の実施形態に係るハードディスクレコーダについて、図面を参照して説明する。このハードディスク１は、上述した図１及び図２と同様の構成である。次に、ＨＤＤ１４に記録されたＴＶ番組を再生するときのハードディスクレコーダ１の処理について、図１、図２、及び図４を参照して説明する。なお、ここでは、予めＣＭスキップ機能がオンされているものとする。
【００２４】
まず、制御用マイコン１１は、ＴＶ番組の再生等のメニューが記載されたメニュー画面をテレビ２に表示する（Ｓ２１）。そして、ユーザが操作部１３を操作することにより、ＨＤＤ１４に記録されたＴＶ番組の選択し、再生の指示入力を行うと（Ｓ２２）、制御用マイコン１１は、読み取り部１５を用いてＨＤＤ１４からユーザが選択したＴＶ番組を読み取り、読み取ったＴＶ番組を再生し（Ｓ２３）、再生したＴＶ番組の本編の音声出力方式がステレオ方式かモノラル方式かを判別する（Ｓ２４）。
【００２５】
上記判別の結果、ＴＶ番組の本編の音声出力方式がステレオ方式の場合（Ｓ２５でＹＥＳ）、制御用マイコン１１は、ＣＭスキップ機能をオフに設定した後（Ｓ２６）、ＴＶ番組を再生し（Ｓ２７）、処理を終了する。
【００２６】
一方、上記Ｓ２４の判別の結果、ＴＶ番組の本編の音声出力方式がステレオ方式でない場合（Ｓ２５でＮＯ）、制御用マイコン１１は、上記Ｓ２６以降の処理を行わず、ＴＶ番組を再生し（Ｓ２８）、処理を終了する。
【００２７】
上記のように、第２の実施形態に係るハードディスクレコーダ１によれば、ＴＶ番組の本編の音声出力方式がステレオ方式の場合、制御用マイコン１１が、ＣＭスキップ機能をオフにするので、音声出力方式がステレオ方式であるＴＶ番組の本編を再生する場合に、従来のように、ＣＭスキップ機能によりＴＶ番組の本編が早送りされることを容易、かつ確実に防ぐことができる。
【００２８】
なお、本発明は、上記各実施形態の構成に限られず、発明の趣旨を変更しない範囲で種々の変形が可能である。例えば、上記各実施形態では、制御用マイコンが、ＨＤＤに記録されたＴＶ番組を再生する都度、再生したＴＶ番組の本編の音声出力方式がステレオ方式かモノラル方式かを判別するようにしたが、これに限られない。例えば、音声出力方式がステレオ方式であるか否かの判定フラグを最初の再生時にＨＤＤに記録する。そして、再度ＴＶ番組を再生する場合、制御用マイコンが、ＨＤＤに記録されている判定フラグを参照することにより、ＴＶ番組の本編の音声出力方式がステレオ方式かモノラル方式かを判別するようにしてもよい。また、上記の判定フラグをＴＶ番組の録画時にＨＤＤに記録するようにしてもよい。
【図面の簡単な説明】
【００２９】
【図１】本発明の第１の実施形態に係るハードディスクレコーダと、このハードディスクレコーダに接続されたテレビの外観を示す傾斜図。
【図２】上記ハードディスクレコーダの内部構成を示すブロック図。
【図３】上記ハードディスクレコーダに記録されたＴＶ番組の再生処理を示すフローチャート。
【図４】本発明の第２の実施形態に係るハードディスクレコーダに記録されたＴＶ番組の再生処理を示すフローチャート。
【符号の説明】
【００３０】
１  ハードディスクレコーダ
２  テレビ（モニタ装置）
３  伝送ケーブル（ケーブル）
１１  制御用マイコン（制御手段、ＴＶ番組再生手段、ＣＭスキップ手段、音声判別手段）
１３  操作部（操作手段）
１４  ＨＤＤ（記憶媒体）
１５  読み取り部（読み取り手段）
【図１】
2007235641.tif 000003
【図２】
2007235641.tif 000004
【図３】
2007235641.tif 000005
【図４】
2007235641.tif 000006